(57)【要約】【課題】通常の内視鏡観察を行う際等のような非洗浄状態の時には、例え洗浄モードスイッチがオンになっていても送気ポンプの出力が強い状態にならず、適切に使用することができる内視鏡用送気装置を提供すること。【解決手段】内視鏡１が洗浄状態にないことを検出するための非洗浄状態検出手段８，９，２９を設けて、内視鏡１が洗浄状態にないことを非洗浄状態検出手段８，９，２９が検出した場合には、洗浄モードスイッチ２７がオンになっていてもポンプ制御手段３０において送気ポンプ２３の出力を強くしないようにした。【選択図】      図１
2006055234.tif 000002
【特許請求の範囲】
【請求項１】
内視鏡に配管されている流体管路に通される流体の駆動源となる送気ポンプと、上記送気ポンプの出力の大きさを制御するためのポンプ制御手段と、内視鏡検査終了後に上記内視鏡を洗浄する際に上記送気ポンプの出力を強くするよう上記ポンプ制御手段を動作させるための洗浄モードスイッチとが内視鏡コントローラに設けられた内視鏡用送気装置において、
上記内視鏡が洗浄状態にないことを検出するための非洗浄状態検出手段を設けて、上記内視鏡が洗浄状態にないことを上記非洗浄状態検出手段が検出した場合には、上記洗浄モードスイッチがオンになっていても上記ポンプ制御手段において上記送気ポンプの出力を強くしないようにしたことを特徴とする内視鏡用送気装置。
【請求項２】
上記非洗浄状態検出手段が上記内視鏡に照明光を供給するために上記内視鏡コントローラに内蔵されている光源ランプの点灯状態を検出して、上記光源ランプが点灯している場合には上記ポンプ制御手段において上記送気ポンプの出力を強くしないようにする請求項１記載の内視鏡用送気装置。
【請求項３】
上記非洗浄状態検出手段が上記内視鏡コントローラに対する上記内視鏡の撮像信号コネクタの接続状態を検出して、上記内視鏡コントローラに上記内視鏡の撮像信号コネクタが接続されている場合には上記ポンプ制御手段において上記送気ポンプの出力を強くしないようにする請求項１記載の内視鏡用送気装置。
【請求項４】
上記非洗浄状態検出手段が上記内視鏡の挿入部先端の外面の温度と湿度を検出して、上記内視鏡の挿入部先端の外面の温度と湿度が所定の範囲にある場合には上記ポンプ制御手段において上記送気ポンプの出力を強くしないようにする請求項１記載の内視鏡用送気装置。
【発明の詳細な説明】
【技術分野】
【０００１】
この発明は内視鏡用送気装置に関する。
【背景技術】
【０００２】
内視鏡内には、送気送水用などの流体管路が配管されていて、それらに通される流体の駆動源となる送気ポンプが内視鏡コントローラに内蔵されている。
そして、内視鏡検査終了後に内視鏡を洗浄する際にそのような内蔵送気ポンプを管路内洗浄用として利用することができるように、送気ポンプの出力を強くする洗浄モードスイッチが内視鏡コントローラに設けられたものがある（例えば、特許文献１）。
【特許文献１】特開平１−２９７０４５
【発明の開示】
【発明が解決しようとする課題】
【０００３】
しかし、上述のような従来の内視鏡用送気装置においては、通常の内視鏡観察を行う際であっても、洗浄モードスイッチが誤ってオンになっていると送気ポンプの出力が強い状態になってしまう可能性があった。
【０００４】
そこで本発明は、通常の内視鏡観察を行う際等のような非洗浄状態の時には、例え洗浄モードスイッチがオンになっていても送気ポンプの出力が強い状態にならず、適切に使用することができる内視鏡用送気装置を提供することを目的とする。
【課題を解決するための手段】
【０００５】
上記の目的を達成するため、本発明の内視鏡用送気装置は、内視鏡に配管されている流体管路に通される流体の駆動源となる送気ポンプと、送気ポンプの出力の大きさを制御するためのポンプ制御手段と、内視鏡検査終了後に内視鏡を洗浄する際に送気ポンプの出力を強くするようポンプ制御手段を動作させるための洗浄モードスイッチとが内視鏡コントローラに設けられた内視鏡用送気装置において、内視鏡が洗浄状態にないことを検出するための非洗浄状態検出手段を設けて、内視鏡が洗浄状態にないことを非洗浄状態検出手段が検出した場合には、洗浄モードスイッチがオンになっていてもポンプ制御手段において送気ポンプの出力を強くしないようにしたものである。
【０００６】
なお、非洗浄状態検出手段が内視鏡に照明光を供給するために内視鏡コントローラに内蔵されている光源ランプの点灯状態を検出して、光源ランプが点灯している場合にはポンプ制御手段において送気ポンプの出力を強くしないようにしてもよい。
【０００７】
また、非洗浄状態検出手段が内視鏡コントローラに対する内視鏡の撮像信号コネクタの接続状態を検出して、内視鏡コントローラに内視鏡の撮像信号コネクタが接続されている場合にはポンプ制御手段において送気ポンプの出力を強くしないようにしてもよい。
【０００８】
また、非洗浄状態検出手段が内視鏡の挿入部先端の外面の温度と湿度を検出して、内視鏡の挿入部先端の外面の温度と湿度が所定の範囲にある場合にはポンプ制御手段において送気ポンプの出力を強くしないようにしてもよい。
【発明の効果】
【０００９】
本発明によれば、内視鏡が洗浄状態にないことを非洗浄状態検出手段が検出した場合には、洗浄モードスイッチがオンになっていてもポンプ制御手段において送気ポンプの出力を強くしないようにしたので、通常の内視鏡観察を行う際等のような非洗浄状態の時には、例え洗浄モードスイッチがオンになっていても送気ポンプの出力が強い状態にならず、適切に使用することができる。
【発明を実施するための最良の形態】
【００１０】
内視鏡に配管されている流体管路に通される流体の駆動源となる送気ポンプと、送気ポンプの出力の大きさを制御するためのポンプ制御手段と、内視鏡検査終了後に内視鏡を洗浄する際に送気ポンプの出力を強くするようポンプ制御手段を動作させるための洗浄モードスイッチとが内視鏡コントローラに設けられた内視鏡用送気装置において、内視鏡が洗浄状態にないことを検出するための非洗浄状態検出手段を設けて、内視鏡が洗浄状態にないことを非洗浄状態検出手段が検出した場合には、洗浄モードスイッチがオンになっていてもポンプ制御手段において送気ポンプの出力を強くしないようにする。
【実施例】
【００１１】
図面を参照して本発明の実施例を説明する。
図１は内視鏡用送気装置の全体構成を略示しており、内視鏡１の挿入部の先端には、内視鏡観察像を撮像するためのＣＣＤ２が内蔵されていて、ＣＣＤ２から映像系回路３に送られた撮像信号が、内視鏡コントローラ２０に対して接続及び分離自在な撮像信号コネクタ１１を介して内視鏡コントローラ２０の画像処理部２１に送られる。
【００１２】
内視鏡１内には、被写体に向けて照射される照明光を伝達するためのライトガイド４が挿通配置されると共に、送気管路５及び送水管路６等の流体管路が配管されていて、ライトガイド４の入射端部は、撮像信号コネクタ１１と並んで内視鏡コントローラ２０に対して接続及び分離自在に設けられているライトガイドコネクタ１２に配置され、送気管路５と送水管路６の各基端部は管路接続口金１３に接続されている。
【００１３】
また、この実施例の内視鏡１には、外表面の温度と湿度を検知する温度湿度センサ７が挿入部の先端に配置されると共に、温度湿度センサ７からの出力信号を増幅して出力する内視鏡温度湿度監視回路８と、撮像信号コネクタ１１により内視鏡１と内視鏡コントローラ２０が接続されたことを監視するための内視鏡接続監視回路９とが撮像信号コネクタ１１の近傍に内蔵されていて、それらからの出力信号が、撮像信号と共に撮像信号コネクタ１１を経由して内視鏡コントローラ２０に送られるようになっている。
【００１４】
内視鏡コントローラ２０には、撮像信号を処理するための画像処理部２１の他に、ライトガイド４に入射させる照明光を発生する光源２２、及び送気管路５や送水管路６に通される空気と水の駆動源となる送気ポンプ２３等が内蔵されており、画像処理部２１からの出力信号が外部のモニタ５０に送られて内視鏡観察像が表示される。
【００１５】
送気ポンプ２３は、内視鏡コントローラ２０の外壁に設けられた空気送入口から吸い込んだ空気を加圧して、外部に配置されている送水タンク１０内に送り込んでおり、加圧された送水タンク１０内の貯留水と送気ポンプ２３からの直接の加圧空気とが、管路接続口金１３を介して内視鏡１の送水管路６と送気管路５とに送り込まれるようになっている。
【００１６】
内視鏡コントローラ２０のフロントパネル２４には、光源スイッチ２５、ポンプスイッチ２６、洗浄モードスイッチ２７及びポンプ流量状態表示部２８等が並んで配置されており、光源スイッチ２５は光源点灯回路２９に信号を送って光源２２を点灯及び消灯させるためのものである。
【００１７】
ポンプスイッチ２６は送気ポンプ２３のオンとオフを切り換えるためのもの、洗浄モードスイッチ２７は、送気ポンプ２３の出力を強める洗浄モードのオンとオフを切り換えるためのものであり、いずれからの出力信号も、マイクロコンピュータを内蔵するポンプ制御回路３０に対して送られるようになっている。
【００１８】
ポンプ制御回路３０には、ポンプスイッチ２６と洗浄モードスイッチ２７の他、光源点灯回路２９や、内視鏡１の内視鏡温度湿度監視回路８と内視鏡接続監視回路９からの出力信号（状態検知信号）も入力され、さらに外部のキーボード６０からもキー信号入力を行うことができるようになっている。
【００１９】
また、ポンプ制御回路３０から出力される制御信号は、送気ポンプ２３の駆動回路に送られる他、モニタ表示制御回路３１に送られて、画像処理部２１中の画像合成処理回路２１ａにおいてモニタ５０の画面の一部に送気ポンプ流量状態表示をさせるようにすると同時に、フロントパネル表示制御回路３２に送られて、フロントパネル２４のポンプ流量状態表示部２８にも同様の送気ポンプ流量状態表示をさせることができるようになっている。
【００２０】
次に、上記実施例の内視鏡コントローラ２０に内蔵されているポンプ制御回路３０において行われる制御動作を、ポンプ制御回路３０の制御処理のソフトウェアの内容を示す図２と図３のフロー図を参照して説明する。図中のＳは処理ステップである。
【００２１】
図２に示される送気ポンプ２３の制御は、内視鏡コントローラ２０の主電源（図示せず）の投入によって開始され、まずＳ１で、ポンプスイッチ２６のオン／オフを判別して、オフの場合はそのオン／オフ判別処理のみを繰り返し、ポンプスイッチ２６がオンであることが判別されたら、Ｓ２で送気ポンプ２３をオンにする。
【００２２】
次いで、Ｓ３において再度ポンプスイッチ２６のオン／オフを判別し、オフの場合はＳ１に戻ってポンプスイッチ２６のオン／オフの判別処理のみを繰り返す。Ｓ３で、ポンプスイッチ２６がオンの場合には、Ｓ４で洗浄モードスイッチ２７がオンであるかどうかを判別する。
【００２３】
そして、洗浄モードスイッチ２７がオフの場合には、Ｓ５で送気ポンプ２３の出力を通常の大きさに設定してからＳ３のポンプスイッチ２６のオン／オフ判別に戻り、Ｓ４で洗浄モードスイッチ２７がオンの場合には、内視鏡１が非洗浄状態であるかどうかをＳ６で判別する。なお、その判別の内容は図３に示されるサブルーチンのフロー図を参照して後述する。
【００２４】
Ｓ６における判別により内視鏡１が非洗浄状態でないと判別された時は、洗浄モードスイッチ２７が正しくオンにされていると考えられるので、Ｓ７で送気ポンプ２３の出力を洗浄モード用に強く設定する。
【００２５】
そして、Ｓ８とＳ９において、内視鏡１が非洗浄状態でない状態で洗浄モードスイッチ２７がオンの状態が維持されているかどうかを繰り返し判別し、洗浄モードスイッチ２７がオフになった場合にはＳ３のポンプスイッチ２６のオン／オフ判別に戻る。
【００２６】
Ｓ６及びＳ８において内視鏡１が非洗浄状態であると判別された場合には、洗浄モードスイッチ２７が誤ってオンにされていると考えられるので、Ｓ１０において送気ポンプ２３の出力を通常の大きさに設定し、Ｓ１１で、ポンプ流量状態表示部２８とモニタ５０に『洗浄モード使用禁止』等の表示を一定時間出す処理をして、Ｓ３のポンプスイッチ２６のオン／オフ判別に戻る。
【００２７】
このようにすることにより、通常の内視鏡観察を行う際のような非洗浄状態においては、例え洗浄モードスイッチ２７がオンになっていても送気ポンプ２３の出力が強い状態にならず、内視鏡検査を適切に行うことができる。
【００２８】
図３は、図２に示されるフロー図中のＳ６及びＳ８の処理において行われる、内視鏡１が非洗浄状態であるかどうかの判定処理をするサブルーチンの内容を示しており、まず、Ｓ２１で光源２２の点灯状態を監視する設定がなされているかどうかを判定する。なお、光源２２の点灯監視設定はキーボード６０等から行うことができる。
【００２９】
そして、光源２２の点灯監視設定が行われていない場合はＳ２２をスキップしてＳ２５に進み、Ｓ２１で光源２２の点灯監視設定が行われている場合は、Ｓ２２で光源２２が点灯中であるかどうかを光源点灯回路２９からの入力信号により判定し、光源２２が点灯中でない場合はＳ２５に進む。
【００３０】
Ｓ２２で光源点灯回路２９からの入力信号により光源２２が点灯中と判定された場合は、Ｓ２３で内視鏡１が非洗浄状態であると判定し、その旨をＳ２４でモニタ５０とフロントパネル２４に表示してから、図２の次の処理に移行する。
【００３１】
Ｓ２５においては、内視鏡１と内視鏡コントローラ２０とが撮像信号コネクタ１１で接続されていることを監視する設定がなされているかどうかを判定する。なお、撮像信号コネクタ１１の接続監視設定はキーボード６０等から行うことができる。
【００３２】
そして、撮像信号コネクタ１１の接続監視設定が行われていない場合はＳ２６をスキップしてＳ２７に進み、Ｓ２５で撮像信号コネクタ１１の接続監視設定が行われている場合は、Ｓ２６で内視鏡接続監視回路９からの入力信号により撮像信号コネクタ１１が接続中であるかどうかを判定し、撮像信号コネクタ１１が接続中でない場合はＳ２７に進む。
【００３３】
Ｓ２６で内視鏡接続監視回路９からの入力信号により撮像信号コネクタ１１が接続中と判定された場合は、Ｓ２３で内視鏡１が非洗浄状態であると判定し、その旨をＳ２４でモニタ５０とフロントパネル２４に表示してから、図２の次の処理に移行する。
【００３４】
Ｓ２７においては、内視鏡１の挿入部の先端部分の外表面の温度と湿度を温度湿度センサ７で監視するための設定がなされているかどうかを判定する。なお、内視鏡温度湿度の監視設定はキーボード６０等から行うことができる。
【００３５】
そして、温度湿度センサ７による内視鏡温度湿度の監視設定が行われていない場合は、Ｓ２８をスキップしてＳ２９へ進んで、Ｓ２９において内視鏡１が非洗浄状態ではなくて洗浄モードの設定が可能であるものと判定し、その旨をＳ３０でモニタ５０とフロントパネル２４に表示してから図２の次の処理に移行する。
【００３６】
Ｓ２７の判定で温度湿度センサ７による内視鏡温度湿度の監視設定が行われている場合は、Ｓ２８で、内視鏡温度湿度監視回路８からの入力信号により温度湿度センサ７の検出温度湿度が体内環境を示す範囲にあるかどうかを判定し、体内環境を示す範囲にない場合はＳ２９に進む。
【００３７】
Ｓ２８で内視鏡温度湿度監視回路８からの入力信号により温度湿度センサ７の検出温度湿度が体内環境を示す範囲にある場合は、Ｓ２３で内視鏡１が非洗浄状態であると判定し、その旨をＳ２４でモニタ５０とフロントパネル２４に表示してから、図２の次の処理に移行する。
【００３８】
このようにして、内視鏡１が非洗浄状態であるかどうかが判定されて、非洗浄状態である場合には、洗浄モードスイッチ２７がオンになっていても送気ポンプ２３が通常の出力より大きくならないように制御され、非洗浄状態であるかどうかを判定するための検知対象は使用環境等に合わせて任意に選択することができる。
【図面の簡単な説明】
【００３９】
【図１】本発明の実施例の内視鏡用送気装置の全体構成を略示するブロック図である。
【図２】本発明の実施例の内視鏡用送気装置のポンプ制御回路において行われる制御処理のソフトウェアの内容を示すフロー図である。
【図３】本発明の実施例の内視鏡用送気装置のポンプ制御回路において行われる制御処理のソフトウェアの内容を示すフロー図である。
【符号の説明】
【００４０】
１  内視鏡
５  送気管路（流体管路）
６  送水管路（流体管路）
７  温度湿度センサ
８  内視鏡温度湿度監視回路（非洗浄状態検出手段）
９  内視鏡接続監視回路（非洗浄状態検出手段）
１１  撮像信号コネクタ
２０  内視鏡コントローラ
２２  光源
２３  送気ポンプ
２５  光源スイッチ
２６  ポンプスイッチ
２７  洗浄モードスイッチ
２８  ポンプ流量状態表示部
２９  光源点灯回路（非洗浄状態検出手段）
３０  ポンプ制御回路（ポンプ制御手段）
５０  モニタ
６０  キーボード
【図１】
2006055234.tif 000003
【図２】
2006055234.tif 000004
【図３】
2006055234.tif 000005